(57)【要約】【課題】既設枠の取り付け方によらずに、新設枠とカバー材との間に止水材を確実に取り付けでき、高い止水性が得られる改装サッシを提供すること。【解決手段】既設枠１１０に沿って延設され、既設枠１１０の屋外面及び内周面を覆うカバー材１７０を備え、カバー材１７０は、一端が建物の外壁に固定され、他端が屋内側に向かって延びて少なくとも既設枠１１０の屋外面を覆う第１カバー材１７０Ａと、第１カバー材１７０Ａの他端に接続され、既設枠１１０と新設枠１２０との間で見込方向に延びて既設枠１１０の内周面を覆う第２カバー材１７０Ｂと、を含んで構成され、新設枠１２０の外周面と第２カバー材１７０Ｂの内周面との間には、止水材９Ｃが設けられていることを特徴とする改装サッシ１である。【選択図】図４
2015137532.tif 000002
【特許請求の範囲】
【請求項１】
建物の開口部に取り付けられた既設枠と、当該既設枠の内周側に取り付けられた新設枠と、を備える改装サッシであって、
前記既設枠に沿って延設され、前記既設枠の屋外面及び内周面を覆うカバー材を備え、
前記カバー材は、
一端が前記建物の外壁に固定され、他端が屋内側に向かって延びて少なくとも前記既設枠の屋外面を覆う第１カバー材と、
前記第１カバー材の前記他端に接続され、前記既設枠と前記新設枠との間で見込方向に延びて前記既設枠の内周面を覆う第２カバー材と、を含んで構成され、
前記新設枠の外周面と前記第２カバー材の内周面との間には、止水材が設けられていることを特徴とする改装サッシ。
【請求項２】
前記カバー材及び前記止水材は、前記既設枠及び前記新設枠の四周に亘って設けられていることを特徴とする請求項１に記載の改装サッシ。
【請求項３】
前記既設枠は、内付枠又は半外付枠であることを特徴とする請求項１又は２に記載の改装サッシ。
【請求項４】
前記新設枠は、既設の屋内額縁上に設けられた新設の下地材に固定されていることを特徴とする請求項１から３いずれかに記載の改装サッシ。
【請求項５】
前記第１カバー材及び前記第２カバー材の外周側の見込面には、枠に沿って延びる溝が見込方向に所定間隔で複数形成されていることを特徴とする請求項１から４いずれかに記載の改装サッシ。
【請求項６】
前記第１カバー材の前記他端には、外周側に屈曲した屈曲部が形成され、
前記第２カバー材の屋外側端部には、前記屈曲部が嵌合する凹部が形成されていることを特徴とする請求項１から５いずれかに記載の改装サッシ。
【請求項７】
建物の開口部に取り付けられた既設枠に、カバー材を取り付けて当該既設枠の内周側に当該カバー材を介して新設枠を配置するサッシの改装方法であって、
前記カバー材は、前記既設枠に沿って延設され且つ第１カバー材と第２カバー材から成り、
前記第１カバー材の一端を前記建物の外壁に固定し、他端が屋内側に向かって延びることで少なくとも前記既設枠の屋外面を覆い、
前記第１カバー材の他端に接続された前記第２カバー材が前記既設枠と前記新設枠との間で見込方向に延びることで前記既設枠の内周面を覆った後、
前記新設枠の外周面と前記第２カバー材の内周面との間に、止水材を設けることを特徴とするサッシの改装方法。
【発明の詳細な説明】
【技術分野】
【０００１】
本発明は、改装サッシ及びサッシの改装方法に関する。
【背景技術】
【０００２】
従来、建物の開口部に取り付けられた既設枠を改装する方法として、カバー工法が広く採用されている。このカバー工法では、建物の開口部に取り付けられた既設枠を取り外すことなく、その内周側に新設枠が取り付けられる。
【０００３】
例えば、カバー工法により改装された改装サッシとして、既設枠と新設枠との間に、既設枠の屋外面及び内周面を覆うカバー材（接合部材）が設けられた改装サッシが知られている（例えば、特許文献１参照）。
【先行技術文献】
【特許文献】
【０００４】
【特許文献１】特開２００１−１９６１０１号公報
【発明の概要】
【発明が解決しようとする課題】
【０００５】
ところで上記の改装サッシでは、通常、水密対策としてカバー材に止水材（水密材）が設けられる。具体的には、新設枠とカバー材との間に、止水材が設けられる。
【０００６】
しかしながら、既設枠が内付枠である場合には、既設枠が半外付枠等である場合よりも新設枠が屋内側に配置される。すると、カバー材の見込み寸法が不足し、カバー材と新設枠の見込み方向における重複部分を十分確保できない結果、止水材を取り付けできないおそれがあった。
【０００７】
本発明は上記に鑑みてなされたものであり、その目的は、既設枠の取り付け方によらずに、新設枠とカバー材との間に止水材を確実に取り付けでき、高い止水性が得られる改装サッシ及びサッシの改装方法を提供することにある。
【課題を解決するための手段】
【０００８】
上記目的を達成するため本発明は、建物の開口部に取り付けられた既設枠（例えば、後述の既設枠１１０，２１０，３１０，４１０）と、当該既設枠の内周側に取り付けられた新設枠（例えば、後述の新設枠１２０，２２０，３２０，４２０）と、を備える改装サッシ（例えば、後述の改装サッシ１）であって、前記既設枠に沿って延設され、前記既設枠の屋外面及び内周面を覆うカバー材（例えば、後述のカバー材１７０，２７０，３７０，４７０）を備え、前記カバー材は、一端が前記建物の外壁に固定され、他端が屋内側に向かって延びて少なくとも前記既設枠の屋外面を覆う第１カバー材（例えば、後述の第１カバー材１７０Ａ，２７０Ａ，３７０Ａ，４７０Ａ）と、前記第１カバー材の前記他端に接続され、前記既設枠と前記新設枠との間で見込方向に延びて前記既設枠の内周面を覆う第２カバー材（例えば、後述の第２カバー材１７０Ｂ，２７０Ｂ，３７０Ｂ，４７０Ｂ）と、を含んで構成され、前記新設枠の外周面と前記第２カバー材の内周面との間には、止水材（例えば、後述の止水材９Ｃ，９Ｇ，９Ｋ）が設けられていることを特徴とする。
【０００９】
前記カバー材及び前記止水材は、前記既設枠及び前記新設枠の四周に亘って設けられていることが好ましい。
【００１０】
前記既設枠は、内付枠又は半外付枠であることが好ましい。
【００１１】
前記新設枠は、既設の屋内額縁（例えば、後述の既設の屋内額縁１６１，２６１，３６１，４６１）上に設けられた新設の下地材（例えば、後述の新設の下地材１６２，２６２，３６２，４６２）に固定されていることが好ましい。
【００１２】
前記第１カバー材及び前記第２カバー材の外周側の見込面には、枠に沿って延びる溝（例えば、後述の溝１７３，２７３，３７３，４７３，１７４，２７４，３７４，４７４）が見込方向に所定間隔で複数形成されていることが好ましい。
【００１３】
前記第１カバー材の前記他端には、外周側に屈曲した屈曲部（例えば、後述の屈曲部１７５，２７５，３７５，４７５）が形成され、前記第２カバー材の屋外側端部には、前記屈曲部が嵌合する凹部（例えば、後述の凹部１７６，２７６，３７６，４７６）が形成されていることが好ましい。
【００１４】
また、建物の開口部に取り付けられた既設枠に、カバー材を取り付けて当該既設枠の内周側に当該カバー材を介して新設枠を配置するサッシの改装方法であって、前記カバー材は、前記既設枠に沿って延設され且つ第１カバー材と第２カバー材から成り、前記第１カバー材の一端を前記建物の外壁に固定し、他端が屋内側に向かって延びることで少なくとも前記既設枠の屋外面を覆い、前記第１カバー材の他端に接続された前記第２カバー材が前記既設枠と前記新設枠との間で見込方向に延びることで前記既設枠の内周面を覆った後、前記新設枠の外周面と前記第２カバー材の内周面との間に、止水材を設けることを特徴とするサッシの改装方法を提供する。
【発明の効果】
【００１５】
本発明によれば、既設枠の取り付け方によらずに、新設枠とカバー材との間に止水材を確実に取り付けでき、高い止水性が得られる改装サッシ及びサッシの改装方法を提供できる。
【図面の簡単な説明】
【００１６】
【図１】本発明の一実施形態に係る改装サッシの分解斜視図である。
【図２】上記実施形態に係る改装サッシの縦断面図である。
【図３】上記実施形態に係る改装サッシの横断面図である。
【図４】図２に示す改装サッシの上横枠部分の拡大図である。
【図５】図２に示す改装サッシの下横枠部分の拡大図である。
【図６】図２に示す改装サッシの左縦枠部分の拡大図である。
【図７】既設枠が半外付枠である従来の改装サッシの縦断面図である。
【図８】既設枠が半外付枠である従来の改装サッシの横断面図である。
【図９】既設枠が内付枠である従来の改装サッシの縦断面図である。
【図１０】既設枠が内付枠である従来の改装サッシの横断面図である。
【発明を実施するための形態】
【００１７】
以下、本発明の一実施形態について、図面を参照しながら詳しく説明する。
図１は、本実施形態に係る改装サッシ１の分解斜視図である。より詳しくは、図１は改装サッシ１を屋外側から見た分解斜視図であり、便宜上、内障子及び外障子の記載を省略している。本実施形態に係る改装サッシ１は、マンションの壁２の開口部に納められた引違い窓の改装サッシである。本実施形態に係る改装サッシ１は、カバー工法によって形成される。
【００１８】
なお本明細書において、「見付方向」とは、マンションの壁２の開口部に納められた引違い窓における障子の面方向（即ち、左右方向）を意味し、「見込方向」とは、屋内外方向（即ち、奥行き方向）を意味する。また、左右方向は、屋内側から見た左右方向を意味し、共通する構成については、同一の規則性に従って符号を付す。
【００１９】
図１に示すように改装サッシ１は、いずれも矩形に枠組みされた、既設枠１１（１１０，２１０，３１０，４１０）と、新設枠１２（１２０，２２０，３２０，４２０）と、カバー材７（１７０，２７０，３７０，４７０）と、を備える。
また、改装サッシ１は、いずれも既設枠１１、新設枠１２及びカバー材７を含んで構成された、後述する長尺状の上横枠、下横枠、左縦枠及び右縦枠により構成される。
【００２０】
図２は、本実施形態に係る改装サッシ１の縦断面図である。また、図３は、本実施形態に係る改装サッシ１の横断面図である。これら図２及び図３に示すように、改装サッシ１内には、内障子２０及び外障子３０が開閉可能に嵌め込まれる。これら内障子２０及び外障子３０は、いずれも引き戸であり、これらを見付方向にスライドさせることで、開口部が閉鎖又は開放される。
【００２１】
内障子２０は、矩形の框体を構成するいずれも長尺状の上横框２１、下横框２２、左縦框（召内框）２３及び右縦框（戸先框）２４と、当該框体内に嵌め込まれて固定されたガラス２６と、を備える。
外障子３０は、矩形の框体を構成するいずれも長尺状の上横框３１、下横框３２、左縦框（戸先框）３３及び右縦框（召外框）３４と、当該框体内に嵌め込まれて固定されたガラス３６と、を備える。
【００２２】
ガラス２６，３６は、それぞれ、屋外側の板ガラス２６１ａ，３６１ａと、屋内側の板ガラス２６２ａ，３６２ａと、これら２枚の板ガラスで挟持されたスペーサ２６３ａ，３６３ａと、を備える複層ガラスであり、優れた断熱性を有する。
【００２３】
上横枠１００は、既設枠１１０と、新設枠１２０と、屋内額縁１６０と、カバー材１７０と、を含んで構成される。これら及びこれらの構成部材はいずれも、見付方向に延びて通しで設けられている。
【００２４】
本実施形態の既設枠１１は、内付枠である。そのため、既設枠１１０は、外壁２７よりも屋内側に配置されて、ねじ８Ａ，８Ｂにより躯体２５にねじ止めされる。既設枠１１０は、屋内側から屋外側に向かって順に、それぞれ下方に垂設された、屋内側部１１０Ａと、既設ガイドレール１１０Ｂ，１１０Ｃと、屋外側部１１０Ｄと、を備える。
屋内側部１１０Ａは、その屋内側面が後述する既設の屋内額縁１６１に当接している。
既設ガイドレール１１０Ｂ，１１０Ｃは、改装前に使用されていた障子用のガイドレールである。
屋外側部１１０Ｄは、その屋外側面が外壁２７に当接した状態で、ねじ８Ａにより躯体２５にねじ止めされる。また、屋外側部１１０Ｄと外壁２７との間には、止水材９Ａが取り付けられている。
【００２５】
新設枠１２０は、既設枠１１０の内周側、即ち既設枠１１０の下方に配置される。また、新設枠１２０は、ねじ８Ｃ，８Ｄにより後述する下地材１６２にねじ止めされる。
新設枠１２０は、屋内側から屋外側に向かって順に、略水平に延びる水平部１２０Ｆからそれぞれ略鉛直方向に延設された、屋内側部１２０Ａと、新設ガイドレール１２０Ｂ，１２０Ｄと、中央立設部１２０Ｃと、屋外側部１２０Ｅと、を備える。
【００２６】
屋内側部１２０Ａは、見込方向に段差を有して形成されており、その下端部は後述する新設の屋内額縁１６３に係合する。新設枠１２０は、この屋内側部１２０Ａの屋外側近傍において、新設の屋内額縁１６３とともにねじ８Ｄにより下地材１６２にねじ止めされている。
新設ガイドレール１２０Ｂは、内障子２０用のガイドレールであり、新設ガイドレール１２０Ｄは、外障子用ガイドレールである。これら新設ガイドレール１２０Ｂ，１２０Ｄは、下方に垂設されており、後述する内障子２０又は外障子３０の上端部に取り付けられた上部振れ止め部材５１，５２に係合する。これにより、内障子２０又は外障子３０が改装サッシ１内を見付方向にスムーズにスライド可能となっている。
【００２７】
中央立設部１２０Ｃは、立設されて上方に延びており、その屋内側面が後述する下地材１６２に当接した状態でねじ８Ｃによりねじ止めされる。また、中央立設部１２０Ｃは、上述の既設枠１１０の屋内側部１１０Ａの真下に配置されており、中央立設部１２０Ｃの上端部と既設枠１１０の屋内側部１１０Ａの下端部との間の隙間には、止水材９Ｂが取り付けられている。
屋外側部１２０Ｅは、外障子３０よりも屋外側に設けられ、外障子３０の上端部と上下方向において重複するまで下方に延出することで、外障子３０の上端部を覆っている。
【００２８】
屋内額縁１６０は、既設の屋内額縁１６１と、下地材１６２と、新設の屋内額縁１６３と、を備える。
新設の屋内額縁１６３は、既設の屋内額縁１６１上に取り付けられた下地材１６２に取り付けられる。新設の屋内額縁１６３は、第１屋内額縁１６３Ａと、この第１屋内額縁１６３Ａよりも屋外側に設けられた第２屋内額縁１６３Ｂとが接続されて構成される。
【００２９】
第１屋内額縁１６３Ａは、下地材１６２の屋内側面を覆って下方に垂設され、その下端部が屋外側に屈曲されて形成される。
第２屋内額縁１６３Ｂは、下方に開口された断面視略Ｃ字状に形成され、その屋内側の開口縁に形成されたフランジ部が上述の第１屋内額縁１６３Ａにねじ８Ｅによりねじ止めされる。また、第２屋内額縁１６３Ｂの上面部が上述の新設枠１２０とともにねじ８Ｄにより下地材１６２にねじ止めされる。また、第２屋内額縁１６３Ｂは、上述の新設枠１２０の屋内側部１２０Ａの下端部に係合している。
【００３０】
カバー材１７０は、既設枠１１０に沿って延設され、既設枠１１０の屋外面及び内周面を覆うように設けられる。カバー材１７０は、第１カバー材１７０Ａと、第２カバー材１７０Ｂと、を備える。
これらカバー材については、後段で詳述する。
【００３１】
下横枠２００は、既設枠２１０と、新設枠２２０と、屋内額縁２６０と、カバー材２７０と、を含んで構成される。これら及びこれらの構成部材はいずれも、見付方向に延びて通しで設けられている。
【００３２】
上述したように本実施形態の既設枠１１は内付枠であるため、既設枠１１０は、外壁２７よりも屋内側に配置されて、ねじ８Ｈ，８Ｉにより躯体２５にねじ止めされる。既設枠２１０は、屋内側から屋外側に向かって階段状に下降するように形成されている。また、既設枠２１０は、屋内側から屋外側に向かって順に、それぞれ上方に立設された、屋内側部２１０Ａと、既設ガイドレール２１０Ｂ，２１０Ｃと、屋外側部２１０Ｄと、を備える。
屋内側部２１０Ａは、その屋内側面が後述する既設の屋内額縁２６１に当接し、その下端部がねじ８Ｈにより躯体２５にねじ止めされる。
既設ガイドレール２１０Ｂ，２１０Ｃは、改装前に使用されていた障子用のガイドレールである。
屋外側部２１０Ｄは、その屋外側面が外壁２７に当接し、ねじ８Ｉにより躯体２５にねじ止めされる。
【００３３】
新設枠２２０は、既設枠２１０の内周側、即ち既設枠２１０の上方に配置される。また、新設枠２２０は、ねじ８Ｊにより後述する下地材２６２にねじ止めされる。
新設枠２２０は、屋内側から屋外側に向かって順に、それぞれ略鉛直方向に延設された、屋内側部２２０Ａと、新設ガイドレール２２０Ｂ，２２０Ｄと、中央垂設部２２０Ｃと、屋外側部２２０Ｅと、を備える。
【００３４】
屋内側部２２０Ａは、その上端部が後述する新設の屋内額縁２６３に係合する。
新設ガイドレール２２０Ｂは、内障子２０用のガイドレールであり、新設ガイドレール２２０Ｄは、外障子３０用のガイドレールである。これら新設ガイドレール２２０Ｂ，２２０Ｄには、内障子２０又は外障子３０の底部に取り付けられた戸車５６ａ，５６ｂが、転動可能に係合する。
【００３５】
また、新設枠２２０は、中央垂設部２２０Ｃの下端部と屋外側部２２０Ｅの下端部とを接続する下面部２２０Ｆと、この下面部２２０Ｆから下方に延出する延出部２２０Ｇと、を備える。
延出部２２０Ｇは、ねじ８Ｊにより後述する下地材２６２にねじ止めされる。延出部２２０Ｇの下端部は、上述の既設枠２１０の屋内側部２１０Ａの真上に配置されており、延出部２２０Ｇの下端部と既設枠２１０の屋内側部２１０Ａの上端部と間の隙間には、止水材９Ｆが取り付けられている。
【００３６】
屋内額縁２６０は、既設の屋内額縁２６１と、下地材２６２と、新設の屋内額縁２６３と、を備える。
新設の屋内額縁２６３は、既設の屋内額縁２６１上に取り付けられた下地材２６２に取り付けられる。新設の屋内額縁２６３は、第１屋内額縁２６３Ａと、この第１屋内額縁２６３Ａよりも屋外側に設けられた第２屋内額縁２６３Ｂとが接続されて構成される。
【００３７】
第１屋内額縁２６３Ａは、下地材２６２の屋内側面を覆って上方に立設され、その上端部が屋外側に屈曲されて形成される。
第２屋内額縁２６３Ｂは、見込方向に段差を有して形成され、その屋内側部が上述の第１屋内額縁２６３Ａにねじ８Ｋによりねじ止めされる。また、第２屋内額縁２６３Ｂは、上述の新設枠２２０に係合している。
【００３８】
カバー材２７０は、既設枠２１０に沿って延設され、既設枠２１０の屋外面及び内周面を覆うように設けられる。カバー材２７０は、第１カバー材２７０Ａと、第２カバー材２７０Ｂと、を備える。
これらカバー材については、後段で詳述する。
【００３９】
内障子２０の上横框２１は、外障子３０の上横框３１と略同一の構成であり、内障子２０の下横框２２は、外障子３０の下横框３２と略同一の構成である。これらの框はいずれも、見付方向に延びて通しで設けられている。従って、以下では、内障子２０の上横框２１及び下横框２２についてのみ説明する。
【００４０】
上横框２１には、上部振れ止め部材５１が設けられ、この上部振れ止め部材５１に上述の新設ガイドレール１２０Ｂが係合する。
上横框２１の下端部は、緩衝部材５５ａを介してガラス２６の上端部を挟持する。
【００４１】
下横框２２には、戸車５６ａと、下部振れ止め部材５３とが設けられる。戸車５６ａは、新設ガイドレール２２０Ｂに転動可能に係合する。また、下部振れ止め部材５３の下端が新設ガイドレール２２０Ｂの側面に当接する。これにより、内障子２０が新設ガイドレール２２０Ｂに沿ってスライド移動する際に、下部振れ止め部材５３によって内障子の２０の見込方向のがたつきが抑制される。
下横框２２の上端部は、緩衝部材５５ａを介してガラス２６の下端部を挟持する。
【００４２】
図３は、本実施形態に係る改装サッシ１の横断面図である。なお、左縦枠３００と右縦枠４００は同一の構成であるため、以下では左縦枠３００についてのみ説明する。同様に、外障子３０の左縦框（戸先框）３３と内障子２０の右縦框（戸先框）２４は同一の構成であるため、以下では外障子３０の左縦框３３についてのみ説明する。
【００４３】
図３に示すように、左縦枠３００は、既設枠３１０と、新設枠３２０と、屋内額縁３６０と、カバー材３７０と、を含んで構成される。これら及びこれらを構成する部分はいずれも、上下方向に延びて通しで設けられている。
【００４４】
上述した通り本実施形態の既設枠１１は内付枠であるため、既設枠３１０は、外壁２７よりも屋内側に配置されて、ねじ８Ｎ，８Ｏにより躯体２５にねじ止めされる。既設枠３１０は、屋内側から屋外側に向かって順に、見込方向に延びる見込部３１０Ｅから見付方向（左右方向）に延設された、屋内側部３１０Ａと、リブ３１０Ｂ，３１０Ｃと、屋外側部３１０Ｄと、を備える。
【００４５】
屋内側部３１０Ａは、その屋内側面が後述する既設の屋内額縁３６１に当接している。
リブ３１０Ｂ，３１０Ｃは、改装前に使用されていた障子のガイドである。
屋外側部３１０Ｄは、見込部３１０Ｅから躯体２５側に延出し、その屋外側面が外壁２７に当接した状態で、ねじ８Ｏにより躯体２５にねじ止めされる。また、屋外側部３１０Ｄと外壁２７との間には、止水材９Ｉが取り付けられている。
【００４６】
新設枠３２０は、既設枠３１０の内周側、即ち既設枠３１０の障子側（右側）に配置される。また、新設枠３２０は、ねじ８Ｐにより後述する下地材３６２にねじ止めされる。
新設枠３２０は、屋内側から屋外側に向かって順に、見込方向に延びる見込部３２０Ｅからそれぞれ躯体側又は障子側に延設された、屋内側部３２０Ａと、中央延出部３２０Ｂと、リブ３２０Ｃと、屋外側部３２０Ｄと、を備える。
【００４７】
屋内側部３２０Ａは、その障子側の端部が後述する新設の屋内額縁３６３に係合する。新設枠３２０は、この屋内側部３２０Ａの屋外側近傍において、新設の屋内額縁３６３とともにねじ８Ｐにより下地材３６２にねじ止めされる。
中央延出部３２０Ｂは、見込部３２０Ｅから躯体２５側に延出し、その屋内側面が後述する下地材３６２に当接した状態でねじ８Ｑによりねじ止めされる。また、中央延出部３２０Ｂは、上述の既設枠３１０の屋内側部３１０Ａと見込方向の位置が同一の位置に配置されており、中央延出部３２０Ｂの躯体２５側の端部と既設枠３１０の屋内側部３１０Ａの障子側の端部との間の隙間には、止水材９Ｊが取り付けられている。
リブ３２０Ｃは、後述する左縦框（戸先框）３３の戸先側に取り付けられた中間振れ止め部材６２に当接する。
屋外側部３２０Ｄは、外障子３０よりも屋外側に設けられ、閉じた状態の外障子３０の左端部と左右方向において重複するまで障子側に延出することで、外障子３０の左端部を覆っている。
【００４８】
また、新設枠３２０の障子側には、新設枠３２０の障子側面を覆って保護するための新設枠保護部材３２０Ｆが上下方向に延設されている。
また、新設枠保護部材３２０Ｆの内障子２０側の下部には、排水孔６１ａを備えた内障子ストッパー６１が設けられる。この内障子ストッパー６１により、内障子２０の開放時に、クレセント錠４０が左縦枠３００に衝突するのが回避され、左縦枠３００やクレセント錠４０の破損が回避される。
【００４９】
屋内額縁３６０は、既設の屋内額縁３６１と、下地材３６２と、新設の屋内額縁３６３と、を備える。
新設の屋内額縁３６３は、既設の屋内額縁３６１上に取り付けられた下地材３６２に取り付けられる。新設の屋内額縁３６３は、第１屋内額縁３６３Ａと、この第１屋内額縁３６３Ａよりも屋外側に設けられた第２屋内額縁３６３Ｂとが接続されて構成される。
【００５０】
第１屋内額縁３６３Ａは、下地材３６２の屋内側面を覆って障子側に延設され、その障子側の端部が屋外側に屈曲されて形成される。
第２屋内額縁３６３Ｂは、断面視略Ｌ字状に形成され、その屋内側の端部が第１屋内額縁３６３Ａの屋外側の端部にねじ８Ｒによりねじ止めされる。また、第２屋内額縁３６３Ｂは、上述の新設枠３２０の屋内側部３２０Ａの障子側の端部に係合している。
【００５１】
カバー材３７０は、既設枠３１０に沿って延設され、既設枠３１０の屋外面及び内周面を覆うように設けられる。カバー材３７０は、第１カバー材３７０Ａと、第２カバー材３７０Ｂと、を備える。
これらカバー材については、後段で詳述する。
【００５２】
外障子３０の左縦框（戸先框）３３には、中間振れ止め部材６２が設けられ、この中間振れ止め部材６２に上述のリブ３２０Ｃが係合する。
左縦框（戸先框）３３の障子側の端部により、緩衝部材６３ａを介してガラス３６の左縦框側（戸先側）端部が挟持される。
外障子３０の右縦框（召外框）３４には、ガラス３６の右縦框側の端部が挿入され、その開口縁によりガラス３６の右縦框側の端部が緩衝部材６４ａを介して挟持される。
【００５３】
右縦框３４の屋内側には、後述する内障子２０の左縦框（召内框）２３に設けられたクレセント錠４０のクレセント金具４１が係合するクレセント受け金具４５が設けられる。また、右縦框３４の屋内側には、内障子２０の左縦框２３に設けられた後述の溝部２３ｂに係合する係合部３４ｂが設けられる。
内障子２０の左縦框２３には、ガラス２６の左縦框側の端部が挿入され、その開口縁によりガラス２６の左縦框側の端部が緩衝部材６５ａを介して挟持される。
【００５４】
左縦框２３の外障子３０側の見込面には、戸締まり用のクレセント錠４０が設けられる。クレセント錠４０は、左縦框２３の外障子３０側の見込面に取り付けられた基部４３と、操作用レバー４２と、操作用レバー４２に連動して回転し、上述のクレセント受け金具４５に係合するクレセント金具４１と、基部４３に設けられたサブロック４４と、を備える。
【００５５】
次に、カバー材７（１７０，２７０，３７０，４７０）について、図４〜図１０を参照して詳しく説明する。
図４は、図２に示す改装サッシ１の上横枠１００部分の拡大図である。図４に示すように、第１カバー材１７０Ａは、断面視略Ｃ字状であり、その開口を屋内側に向けて既設枠１１０の屋外面を覆うように外壁２７に取り付けられる。より詳しくは、第１カバー材１７０Ａの一端部１７１に設けられたフランジがねじ８Ｆにより外壁２７にねじ止めされ、他端部１７２が屋内側に向かって若干下方に傾斜しながら延びて、既設枠１１０の屋外面と、内周面の一部を覆っている。
【００５６】
第２カバー材１７０Ｂは、第１カバー材１７０Ａの他端部１７２にねじ８Ｇによりねじ止めされ、既設枠１１０と新設枠１２０との間で見込方向に略水平に延びて、既設枠１１０の内周面を覆うように設けられている。また、第２カバー材１７０Ｂは、新設枠１２０と見込方向において十分に重複するように設けられている。
第１カバー材１７０Ａの他端部１７２は、外周側（躯体２５側）に屈曲した屈曲部１７５が形成されている。第２カバー材１７０Ｂの屋外側端部には、上記の屈曲部１７５が嵌合する凹部１７６が形成されている。これら屈曲部１７５及び凹部１７６は、いずれも見付方向に延びて通しで形成されている。
【００５７】
また、第１カバー材１７０Ａの他端部１７２の外周側の見込面に、既設枠１１０や新設枠１２０に沿って延びる溝１７３が、見込方向に所定間隔で複数形成されている。同様に、第２カバー材１７０Ｂの屋内側端部の外周側の見込面に、既設枠１１０や新設枠１２０に沿って延びる溝１７４が、見込方向に所定間隔で複数形成されている。これにより、これらの溝１７３，１７４に沿って、第１カバー材１７０Ａ及び第２カバー材１７０Ｂを容易に切断できるため、リフォーム現場において、これらカバー材の見込方向の寸法調整が容易となっている。
【００５８】
また、新設枠１２０の外周面と第２カバー材１７０Ｂの内周面との間には、止水材９Ｃが取り付けられる。より詳しくは、新設枠１２０と第２カバー材１７０Ｂとの間に挿填されたバックアップ材９Ｄにより、シーリング材を受けることで止水材９Ｃが取り付けられる。
【００５９】
図５は、図２に示す改装サッシ１の下横枠２００部分の拡大図である。図５に示すように、カバー材２７０は、上述のカバー材１７０と上下対称の同様の構成となっている。そのため、各構成の説明を省略する。
また同様に、新設枠２２０の外周面と第２カバー材２７０Ｂの内周面との間には、止水材９Ｇが取り付けられる。
【００６０】
図６は、図２に示す改装サッシ１の左縦枠３００部分の拡大図である。図６に示すように、カバー材３７０は、上述のカバー材１７０と基本的に同様の構成となっている。従って、右縦枠４００のカバー材４７０も上述のカバー材１７０と基本的に同様の構成となっている。そのため、各構成の説明を省略する。
また同様に、新設枠３２０の外周面と第２カバー材３７０Ｂの内周面との間には、止水材９Ｋが取り付けられ、新設枠４２０の外周面と第２カバー材４７０Ｂの内周面との間には、止水材９Ｋが取り付けられる。
【００６１】
なお、本実施形態の改装サッシ１の施工方法について、上横枠１００を例に挙げて説明する。即ち、既設枠１１０は、次のようにして改装される。
先ず、既設枠１１０に沿って延設され且つ第１カバー材１７０Ａと第２カバー材１７０Ｂから成るカバー材１７０のうち、第１カバー材１７０Ａの一端を建物の外壁２７にねじ止めする。
これにより、第１カバー材１７０Ａの他端が屋内側に向かって延びることで、少なくとも既設枠１１０の屋外面が覆われる。同時に、第１カバー材１７０Ａの他端に接続された第２カバー材１７０Ｂが既設枠１１０と新設枠１２０との間で見込方向に延びることで、既設枠１１０の内周面が覆われる。
【００６２】
次いで、新設枠１２０の外周面と第２カバー材１７０Ｂの内周面との間に、止水材９Ｃを設ける。
これにより、高い止水性を有する改装サッシ１が得られる。
【００６３】
以上の構成を備える本実施形態の改装サッシ１の効果について、従来の改装サッシと比較しながら説明する。
図７は、既設枠が半外付枠である従来の改装サッシの縦断面図であり、図８は、既設枠が半外付枠である従来の改装サッシの横断面図である。
図７及び図８に示すように、既設枠が半外付枠である場合には、既設枠が内付枠である場合と比べて新設枠がより屋外側に配置される。そのため、従来のようにカバー材が第１カバー材のみで構成されていても、新設枠との見込方向の重複部分を十分確保でき、カバー材と新設枠との間に止水材を確実に取り付けできる。
【００６４】
一方、図９は、既設枠が内付枠である従来の改装サッシの縦断面図であり、図１０は、既設枠が内付枠である従来の改装サッシの横断面図である。
図９及び図１０に示すように、既設枠が内付枠である場合には、既設枠が半外付枠である場合と比べて新設枠がより屋内側に配置される。そのため、従来のようにカバー材が第１カバー材のみで構成されていた場合には、カバー材の見込み寸法が不足し、カバー材と新設枠の見込み方向における重複部分を十分確保できない結果、カバー材と新設枠との間に止水材を取り付けできないおそれがあった。
【００６５】
そこで本実施形態では、既設枠１１０，２１０，３１０，４１０のそれぞれに沿って延設し、各既設枠の屋外面及び内周面を覆うカバー材１７０，２７０，３７０，４７０を設けた。また、これらカバー材を、一端が外壁２７に固定され、他端が屋内側に向かって延びて少なくとも各既設枠の屋外面を覆う第１カバー材１７０Ａ，２７０Ａ，３７０Ａ，４７０Ａと、これら第１カバー材の各他端に接続され、各既設枠と各新設枠との間で見込方向に延びて各既設枠の内周面を覆う第２カバー材１７０Ｂ，２７０Ｂ、３７０Ｂ，４７０Ｂと、を含んで構成した。また、各新設枠の外周面と各第２カバー材の内周面との間には、止水材９Ｃ，９Ｇ，９Ｋ，９Ｋを設けた。
本実施形態によれば、第１カバー材１７０Ａ，２７０Ａ，３７０Ａ，４７０Ａの各屋内側端部に第２カバー材１７０Ｂ，２７０Ｂ、３７０Ｂ，４７０Ｂをそれぞれ接続したことで、この第２カバー材１７０Ｂ，２７０Ｂ、３７０Ｂ，４７０Ｂにより、カバー材と新設枠との見込方向の重複部分を十分に確保することができる。そのため、既設枠の取り付け方によらずに、カバー材と新設枠との間に確実に止水材９Ｃ，９Ｇ，９Ｋ，９Ｋを取り付けることができ、高い止水性が得られる。
また、従来の第１カバー材の見込み寸法を大きくした場合と比べて、本実施形態のように２部材とした方がリフォーム現場での寸法の調整が容易であり、良好な施工性が得られる。
【００６６】
また本実施形態では、カバー材１７０，２７０，３７０，４７０及び止水材９Ｃ，９Ｇ，９Ｋ，９Ｋを、既設枠１１０，２１０，３１０，４１０及び新設枠１２０，２２０，３２０，４２０の四周に亘って設けた。これにより、上述の効果がより確実に発揮される。
【００６７】
また本実施形態では、新設枠１２０，２２０，３２０，４２０を、既設の屋内額縁１６１，２６１，３６１，４６１上に設けられた新設の屋内額縁１６４，２６３，３６３，４６３に固定した。これにより、新設枠１２０，２２０，３２０，４２０がより屋内側に配置されるところ、本実施形態によれば上述の効果が顕著に発揮される。
【００６８】
また本実施形態では、第１カバー材１７０Ａ，２７０Ａ，３７０Ａ，４７０Ａ及び第２カバー材１７０Ｂ，２７０Ｂ、３７０Ｂ，４７０Ｂの外周側の見込面に、枠に沿って延びる溝１７３，１７４を、見込方向に所定間隔で複数形成した。これにより、これらの溝１７３，１７４に沿って、第１カバー材１７０Ａ及び第２カバー材１７０Ｂを容易に切断できる。そのため、リフォーム現場において、これらカバー材の見込方向の寸法を容易に調整でき、施工性が向上する。
【００６９】
また本実施形態では、第１カバー材１７０Ａ，２７０Ａ，３７０Ａ，４７０Ａの他端に、外周側に屈曲した屈曲部を形成し、第２カバー材１７０Ｂ，２７０Ｂ、３７０Ｂ，４７０Ｂの屋外側端部に、屈曲部が嵌合する凹部を形成した。これにより、屈曲部が凹部に嵌合することで、第１カバー材１７０Ａ，２７０Ａ，３７０Ａ，４７０Ａと第２カバー材１７０Ｂ，２７０Ｂ、３７０Ｂ，４７０Ｂとをより強固に接続できるとともに、止水性を高めることができる。
【００７０】
なお、本発明は上記実施形態に限定されるものではなく、本発明の目的を達成できる範囲での変形、改良等は本発明に含まれる。
上記実施形態では、本発明の改装サッシを引違い窓に適用したが、これに限定されない。
また上記実施形態では、既設枠を内付枠としたがこれに限定されず、例えば半外付枠であってもよい。
【符号の説明】
【００７１】
１…改装サッシ
９Ｃ，９Ｇ，９Ｋ…止水材
１１０，２１０，３１０，４１０…既設枠
１２０，２２０，３２０，４２０…新設枠
１６１，２６１，３６１，４６１…既設の屋内額縁
１６２，２６２，３６２，４６２…新設の下地材
１６３，２６３，３６３，４６３…新設の屋内額縁
１７０，２７０，３７０，４７０…カバー材
１７０Ａ，２７０Ａ，３７０Ａ，４７０Ａ…第１カバー材
１７０Ｂ，２７０Ｂ，３７０Ｂ，４７０Ｂ…第２カバー材
１７３，２７３，３７３，４７３，１７４，２７４，３７４，４７４…溝
１７５，２７５，３７５，４７５…屈曲部
１７６，２７６，３７６，４７６…凹部
【図１】
2015137532.tif 000003
【図２】
2015137532.tif 000004
【図３】
2015137532.tif 000005
【図４】
2015137532.tif 000006
【図５】
2015137532.tif 000007
【図６】
2015137532.tif 000008
【図７】
2015137532.tif 000009
【図８】
2015137532.tif 000010
【図９】
2015137532.tif 000011
【図１０】
2015137532.tif 000012